(57)【要約】【課題】地震が起きたときに吊下照明器具７が共振しないように制御する共振防止装置１を提供し、吊下照明器具７が大きく揺れて照明器の本体７ａが天井面８などに衝突して破損したり、電源コード７ｃが切断して落下するなどの事故を防ぎ、吊下照明器具７の下で生活する人間の安全性を高めることにある。【解決手段】天井面８にベースプレート２を取り付け、ベースプレート２から振止プレート３を３本の吊り材５により吊り下げる。そして、ベースプレート２と振止プレート３の間の間隔Ｃの半分以上の長さを有するパイプ６を、振止プレート３の中心穴３ａの上に立てて載せ、電線コード７ｃを振止プレート３の中心穴３ａ及びパイプ６の中を通して、吊下照明器具７を天井面８に取り付ける。【選択図】図１
2007287543.tif 000002
【特許請求の範囲】
【請求項１】
ベースプレートを上にし、中心穴を有する振止プレートを下にして、前記ベースプレートと前記振止プレートを適宜間隔を設けて板面を平行にして配置し、３本又は５本以上の複数の吊り材を取り付けて前記ベースプレートから前記振止プレートを吊り下げ、さらに、前記ベースプレートと前記振止プレートの間の間隔の半分以上の長さを有するパイプを設けたことを特徴とする、吊り下げて使用する照明器具（以下単に「吊下照明器具」という。）の共振防止装置。
【請求項２】
請求項１に記載した吊下照明器具の共振防止装置であって、ベースプレートが中央穴を有することを特徴とする吊下照明器具の共振防止装置。
【請求項３】
請求項１又は請求項２のいずれかに記載した吊下照明器具の共振防止装置であって、振止プレートを吊り下げる吊り材の本数が３本であることを特徴とする吊下照明器具の共振防止装置。
【請求項４】
請求項１〜請求項３のいずれかに記載した吊下照明器具の共振防止装置であって、吊り材が釣り糸、合成繊維、ワイヤー、鋼線又はチェンのいずれかであることを特徴とする吊下照明器具の共振防止装置。
【請求項５】
請求項１〜請求項４のいずれかに記載した吊下照明器具の共振防止装置であって、振止プレートの中心穴の径が１０〜２０ｍｍであって、パイプの内径が１０〜２０ｍｍであることを特徴とする吊下照明器具の共振防止装置。
【請求項６】
請求項１〜請求項５のいずれかに記載した吊下照明器具の共振防止装置であって、ベースプレートの吊下位置の中心径を３００〜４５０ｍｍとし、振止プレートの吊下位置の中心径を５０〜１２０ｍｍとし、さらに前記ベースプレートと前記振止プレートの間の間隔を３５０〜４００ｍｍとしたことを特徴とする吊下照明器具の共振防止装置。
【請求項７】
請求項１〜請求項６のいずれかに記載した吊下照明器具の共振防止装置と、吊下照明器具とからなる照明装置。
【請求項８】
請求項７に記載した照明装置であって、吊下照明器具のコンセントの下面とパイプの上面との間隔を３０〜５０ｍｍとしたことを特徴とする照明装置。
【発明の詳細な説明】
【技術分野】
【０００１】
本発明は、天井等に取り付けて、吊り下げて使用する照明器具（以下単に「吊下照明器具」という。）が地震により大きく揺れることを防止することにより、地震発生時において安全性の高い吊下照明器具を得ることに関するものである。
【背景技術】
【０００２】
吊下照明器具は地震が発生したときに大きく揺れる。特に長周期振動地震が起きたときには長周期の振動に共振して、吊り下げた根本から大きく揺れて天井面などに照明器の本体が衝突して傘や蛍光灯が破壊する場合がある。
また照明器の本体が天井面に衝突しない場合でも、照明器の本体が大きく揺れることにより電線コードが切断して照明器の本体が落下する場合もあるため、吊下照明器具の下で暮らす人間にとって非常に危険である。
一方、剛性の高い取り付け方法により天井に照明器具を取り付けると、地震が起きたときに天井面の面材に余計な負担をかけて天井面が壊れやすくなったり、美観を損ねることになっていた。
そこで、美観を損ねず安価で単純な吊下照明器具の共振防止装置を追求して何度も試行錯誤を繰り返した。
【発明の開示】
【発明が解決しようとする課題】
【０００３】
本発明は、上記した問題を解決するためになされたもので、その目的とするところは地震が起きたときに吊下照明器具が共振しないように制御する共振防止装置を提供することにある。
また他の目的は、地震発生時に吊下照明器具が大きく揺れることを防ぐことにより、照明器の本体が破損して破片が落下することや、電源コードが切断して照明器の本体が落下することを防止して、吊下照明器具の下で生活する人間の安全性を高めることにある。
さらに他の目的は、美観を損ねず安価で単純な吊下照明器具の共振防止装置を提供することにある。
【課題を解決するための手段】
【０００４】
天井等にベースプレートを取り付け、ベースプレートから振止プレートを吊り材を使用して吊り下げる。そして、振止プレートの中心穴の上に長尺のパイプを立て、吊下照明器具の電線コードを振止プレートの中心穴及びパイプの中を通して吊下照明器具を天井等に取り付ける。
【発明の効果】
【０００５】
本発明により、地震が起きたときに吊下照明器具が共振することを制御する機能を有する、共振防止装置を提供することができた。
また本発明により、地震発生時に吊下照明器具が大きく揺れることを防ぎ、吊下照明器具が破損したり落下する事故を防ぐことができたので、吊下照明器具の下で生活する人間の安全性が高くなった。
さらに本発明により、美観を損ねず安価で単純な吊下照明器具の共振防止装置を提供することができた。
【発明を実施するための最良の形態】
【０００６】
ベースプレートを上にし、中心穴を有する振止プレートを下にして、ベースプレートと振止プレートを適宜間隔を設けて板面を平行にして配置し、３本又は５本以上の複数の吊り材を取り付けてベースプレートから振止プレートを吊り下げ、さらに、ベースプレートと振止プレートの間の間隔の半分以上の長さを有するパイプを設けた吊下照明器具の共振防止装置とする。
ベースプレート及び振止プレートの材料としては鉄板、ステンレス板、アルミ合金の板、合成樹脂の板及びアクリルの板などが好ましい。両方ともその形状についてはこだわるものではないが、三角形及び五〜七角形などの多角形や円形が好ましい。
振止プレートの中心に中心穴を設けたのは、吊下照明器具の電線コードを振止プレートの中心穴に貫通させて取り付けるためである。このため振止プレートの中心穴は電線コードより大きなサイズの穴とする。
ベースプレートの吊下位置の中心径に対して振止プレートの吊下位置の中心径を、１／２以下に小さくしさらに好ましくは１／３〜１／６にする。このように構成することにより、振止プレートの振れ幅を小さくすることができるからである。
吊り材としては釣り糸、合成繊維、針金をよって束ねたワイヤー、硬鋼線やピアノ線などの鋼線、チェン、ひも、ロープなど引張力に耐える材料とする。吊り材の本数について３本又は５〜７本とすることが好ましく２本又は４本とすることは避ける。また、同じ長さの吊り材を使用することが好ましい。さらに、各吊り材を平面視において等角度の間隔を設けた位置に配置することが好ましい。
パイプは吊下照明器具の電線コードより内径が大きく、容易に曲がらないものを使用する。例えば鉄のパイプ、ステンレスのパイプ、アルミ合金のパイプ、合成樹脂のパイプ及びアクリルのパイプなどが好ましい。電線コードよりパイプの内径を大きくしたのは、パイプの中に吊下照明器具の電線コードを通すためである。
またパイプの外径を振止プレートの中心径より大きくすることが好ましい。振止プレートの中心穴の上にパイプを立てて置いたときに、パイプが中心穴を貫通して落下しないようにするためである。一方、パイプの外径より振止プレートの中心径が大きい場合は、パイプの外面又は振止プレートの中心穴のいずれかにパイプが落下することを防止するためのストッパを取り付けることも好ましい。
パイプの長さをベースプレートと振止プレートの間の間隔の半分以上の長さとしたのは、吊下照明器具の電線コードの長さの中央部付近で電線コードが折れ曲がることを防ぐためである。さらに好ましくは、吊下照明器具のコンセントの下面とパイプの上面との間に適当な間隔を設けつつ、より長いパイプとすることが適切である。
【０００７】
また上記した吊下照明器具の共振防止装置であって、ベースプレートが中央穴を有する吊下照明器具の共振防止装置とする。ベースプレートに中央穴を設けることにより、吊下照明器具を吊り下げる電源ボディをベースプレートの中央部を貫通させて取り付けることが可能になるからである。
また上記したいずれかの吊下照明器具の共振防止装置であって、振止プレートを吊り下げる吊り材の本数が３本である吊下照明器具の共振防止装置とする。吊り材の本数を３本とすることにより、バランスのよい共振防止装置であってよりシンプルで安価な吊下照明器具の共振防止装置とすることができるからである。
また上記したいずれかの吊下照明器具の共振防止装置であって、吊り材が釣り糸、合成繊維、ワイヤー、鋼線又はチェンのいずれかである吊下照明器具の共振防止装置とする。このような強度が高い吊り材を使用することにより、細くて見栄えがよく、安価な吊下照明器具の共振防止装置とすることができるからである。
また上記したいずれかの吊下照明器具の共振防止装置であって、振止プレートの中心穴の径が１０〜２０ｍｍであって、パイプの内径が１０〜２０ｍｍである吊下照明器具の共振防止装置とする。このようなサイズの中心穴及びパイプの内径が、通常の電線コードを有する吊下照明器具を対象とした場合に好ましいからである。
また上記したいずれかの吊下照明器具の共振防止装置であって、ベースプレートの吊下位置の中心径を３００〜４５０ｍｍとし、振止プレートの吊下位置の中心径を５０〜１２０ｍｍとし、さらにベースプレートと振止プレートの間の間隔を３５０〜４００ｍｍとした吊下照明器具の共振防止装置とする。振動を与えて実験した結果、通常の吊下照明器具を対象とした場合に、このような寸法の振止装置が好ましいからである。
また上記したいずれかの共振防止装置と、吊下照明器具とからなる照明装置とする。このときには、吊下照明器具の電線コードを振止プレートの中心穴及びパイプの中に通した状態にして、共振防止装置及び吊下照明器具を天井等に取り付け、振止プレートの中心穴の上にパイプを立てた状態にして組み付ける。このように組み付けることにより共振防止装置と吊下照明器具を組み合わせてなる、安全性の高い吊下照明器具を提供することができるからである。
また上記した照明装置であって、吊下照明器具のコンセントの下面とパイプの上面との間隔を３０〜５０ｍｍとした照明装置とする。コンセントの下面とパイプの上面との間にこのような間隔を設けることにより、パイプの上面がコンセントの下面に衝突することを防止したものである。なを振止プレートの下面と吊下照明器具の本体の上面との間の距離については０〜５０ｍｍとすることが好ましい。
【実施例１】
【０００８】
以下本発明の実施例１を図１に示し説明する。実施例１の共振防止装置１は上部に設置したベースプレート２と下部に設置した振止プレート３の板面を平行にして、３本の吊り材５を使用してベースプレート２から振止プレート３を吊り下げたものである。
ベースプレート２は板厚５ｍｍ、外径４００ｍｍの円板形状のアクリル板とし、平面視において中央に電源ボディ８ａが貫通するための中央穴２ａを設けた。
一方、振止プレート３は板厚３ｍｍ、外径１２０ｍｍの円板形状のアクリル板とし、平面視において中心に内径１５ｍｍの中心穴３ａを設けた。
ベースプレート２の中心に対して中心径Ｂを３８０ｍｍとした位置であって、中心角を３等分した位置に３本のヒートン４をねじ込んで固定し、３本の吊り材５の一端をヒートン４に取り付けた。また、振止プレート３の中心に対して中心径Ａを１１０ｍｍとした位置であって、中心角を３等分した位置に３個の糸穴３ｂを明けて、３本の吊り材５の他端を糸穴３ｂに通して縛った後に接着剤で固定した。
吊り材５として同じ長さを有する３本のナイロンの釣り糸を使用した。そして、ベースプレート２の中心と振止プレート３の中心が平面視において一致するようにし、静止状態におけるベースプレート２と振止プレート３の間の間隔Ｃを３９０ｍｍとした。
パイプ６は内径１５ｍｍ、外径１７ｍｍ、長さ３００ｍｍのアクリルのパイプを使用し、予め電線コード７ｃを振止プレート３の中心穴３ａ及びパイプ６の中に通した状態で、吊下照明器具７のコンセント７ｂを電線コード７ｃに取り付けた。
そして、吊下照明器具７のコンセント７ｂを天井面８の電源ボディ８ａに差し込み、ベースプレート２を天井面８にビス止めして取り付けた。多くの場合は天井面８が強度的に弱いため、天井面８の裏にある桟に対してビスをねじ込むようにして、ベースプレート２を天井面８に取り付けることが好ましい。
このように取り付けることにより振止プレート３の中心穴３ａの上にパイプ６を立てて載せた状態になる。このとき、吊下照明器具７のコンセント７ｂの下面とパイプ６の上面との間隔Ｅを４０ｍｍとし、振止プレート３の下面と吊下照明器具の本体の上面との間の距離Ｄを１０ｍｍとした。
以上のように取り付けた照明装置１０に対して、種々条件を変えて天井面８に振動を与える実験をしたところ、照明器の本体７ａは小さな揺れに止まり、長周期振動地震に相当する振動を与えても共振せず、照明器の本体７ａが大きく揺れることはなかった。
【産業上の利用可能性】
【０００９】
本発明は、照明器具を製造販売する産業及び建設産業で利用される。
【図面の簡単な説明】
【００１０】
【図１】３本の吊り材の内の２本の吊り材が通る面の断面を表した照明装置の正面視の断面図である。
【符号の説明】
【００１１】
１  ：共振防止装置          ２  ：ベースプレート          ２ａ：中央穴
３  ：振止プレート          ３ａ：中心穴                  ３ｂ：糸穴
４  ：ヒートン              ５  ：吊り材                  ６  ：パイプ
７  ：吊下照明器具          ７ａ：照明器の本体            ７ｂ：コンセント
７ｃ：電線コード            ８  ：天井面                  ８ａ：電源ボディ
１０  ：照明装置
【図１】
2007287543.tif 000003